(57)【要約】
【課題】  小型メモリカードインターフェース転接USBインターフェースを具えたコントローラを提供する。
【解決手段】  主に少なくとも一個の情報家電内部の小型メモリカード電気インターフェースと接続する小型メモリカードインターフェースを具え、これを用い標準的な小型メモリカードの電気インターフェース、指令ファイル、通信プロトコルのマイクロプロセッサをコピー（模倣）し、及びUSBストレージデバイスと接続を行うUSBインターフェースを用いる。これにより、情報家電は適当な転換メカニズムを通して、情報家電の小型メモリカードインターフェースはUSBインターフェースを応用するUSBモバイルディスク及び(或いは) それに関連するUSBストレージデバイスに転換され、データを読み出し書込みを行う。
【選択図】図３
0003101254.tif 000002
【実用新案登録請求の範囲】
【請求項１】
主に少なくとも一個の情報家電内部の小型メモリカード電気インターフェースと接続する小型メモリカードインターフェースを具え、これを用いた標準的な小型メモリカードの電気インターフェース、指令ファイル、通信プロトコルをコピーし、これにより情報家電は小型メモリカードの指令を読み出し書込みし、標準的ＵＳＢインターフェースストレージデバイスが受信可能な指令ファイルと通信プロトコルのマイクロプロセッサに転換し、及びＵＳＢストレージデバイスと接続を行うＵＳＢインターフェースを用い、これにより、情報家電は小型メモリカードインターフェースが下し読み出し書込み指令を経由し、マイクロプロセッサの適当な転換メカニズムを通して、転換し、ＵＳＢインターフェースを応用するＵＳＢモバイルディスク及び（或いは）それに関連するＵＳＢストレージデバイスのデータを読み出し書込み、接続することを特徴とする小型メモリカードインターフェース転接ＵＳＢインターフェースを具えたコントローラ。
【請求項２】
前記小型メモリカードインターフェースとＵＳＢインターフェース間にはデータ伝送バッファを配置し、それぞれ小型メモリカードインターフェースとＵＳＢインターフェースは前記データ伝送バッファをデータ伝送に用いる特徴とする請求項１記載の小型メモリカードインターフェース転接ＵＳＢインターフェースを具えたコントローラ。
【請求項３】
前記転接コントローラは内部にプログラムコードメモリを配置し、これを用いマイクロプロセッサの保存制御を行い、小型メモリカードをコピーし、データ伝送を行い、ＵＳＢインターフェースストレージデバイスのコントロールプログラムを保存することを特徴とする請求項１、或いは、２記載の小型メモリカードインターフェース転接ＵＳＢインターフェースを具えたコントローラ。
【請求項４】
前記転接コントローラは内部に電源管理回路及び（或いは）  ＰＬＬオスシレーション回路を設置し、前記転接コントローラの正常な作動を維持することを特徴とする請求項１、或いは２記載の小型メモリカードインターフェース転接ＵＳＢインターフェースを具えたコントローラ。
【請求項５】
前記転接コントローラ内に設置する外部メモリインターフェースは外部メモリを拡充することができ、バッハの容量を拡充し、データ伝送バッファとすることを特徴とする請求項１記載の小型メモリカードインターフェース転接ＵＳＢインターフェースを具えたコントローラ。
【請求項６】
前記ＵＳＢストレージデバイスはＵＳＢインターフェースを具えたフラッシュメモリカードドライブ、ハードディスク、光ディスクドライブ、フレキシブルディスクドライブであることを特徴とする請求項１記載の小型メモリカードインターフェース転接ＵＳＢインターフェースを具えたコントローラ。
【請求項７】
前記転接コントローラは内部に小型メモリカードに内蔵することもでき、該小型メモリカードの一端には小型メモリカードインターフェースを設置し、情報家電の小型メモリカード電気インターフェースと電気的接続を行い、該カードの内部には回路板を配置し、該転接コントローラ及び上記の小型メモリカードインターフェースと電気的接続を行い、該カードの適当な位置には該回路板と電気的接続を行うＵＳＢインターフェースを設置し、該ＵＳＢインターフェースはＵＳＢインターフェースのモバイルディスク及び（或いは）それに関連するＵＳＢストレージデバイスのストレージデバイスと接続し、これに基づき、該転接デバイスにより、情報家電に応用される小型メモリカード電気インターフェースは転換され、ＵＳＢモバイルディスク及び（或いは）それに関連するＵＳＢストレージデバイス３からのデータの読み出し書込みを行うことを特徴とする請求項１記載の小型メモリカードインターフェース転接ＵＳＢインターフェースを具えたコントローラ。
【請求項８】
前記小型メモリカードはＣＦカード、ＳＤカード、ＭＭカード、ＭＳカード及びコントローラを具える小型メモリカードなどの小型メモリカード形態を呈することを特徴とする請求項７記載の小型メモリカードインターフェース転接ＵＳＢインターフェースを具えたコントローラ。
【請求項９】
前記小型メモリカードのＵＳＢインターフェースの設置は内蔵式及びケーブルを具えたＵＳＢ形式とすることができることを特徴とする請求項７記載の小型メモリカードインターフェース転接ＵＳＢインターフェースを具えたコントローラ。
【考案の詳細な説明】
【技術分野】
【０００１】
本考案は一種の小型メモリカードインターフェースに対する転接ＵＳＢインターフェースを具えたコントローラに関する。特に一種の適当なメカニズムを通してＵＳＢモバイルディスク及びその関連するＵＳＢストレージデバイスを情報家電の小型メモリカードインターフェースに応用可能で、情報家電中においてデータの読み出し書込みを行う小型メモリカードインターフェース転接ＵＳＢインターフェースを具えたコントローラに係る。
【背景技術】
【０００２】
フラッシュメモリをストレージメディアとして応用する小型メモリカードは消費電力が少なく、コストが低く、容量が大きく、読出し書込み速度が速くかつ重複して読出し書込みが可能で、携帯に便利で、耐震性と防湿性が高いなどのメリットを具えるため、多方面への応用が日増しに盛んになっており、モバイルデジタルマルチメディアデバイス(デジカメ、デジタルモバイルディスクなど)、映像出力デバイス(プリンタ、モニタ、プロジェクタなど)、及び課程用マルチメディア製品（ＤＶＤ、テレビ、オーディオ、冷蔵庫など）に広く応用されている(例えば、特許文献１)。
【０００３】
ＰＣ分野に応用されるＵＳＢモバイルディスク及び（或いは）それに関連するＵＳＢストレージデバイスは、その大容量、高い安定性、随意に挿設可能な利便性などから、近年、ストレージメディアの領域で注目を集めている。  しかし、それはＰＣにおいてのみ応用可能であるため、上記のデジタル情報家電、及び（或いは）モバイル製品には使用することはできない。これら情報家電、及び（或いは）モバイル製品の内部コントローラは単独でのみ小型メモリカード電気インターフェースを具えることができるため、単一或いは多種形式の小型メモリカードのみを応用し、データを保存することができ、ＵＳＢモバイルディスク及び（或いは）それに関連するＵＳＢストレージデバイスをサポートすることはできない。
もし、ＵＳＢシステムエンドインターフェースを前記情報家電、及び（或いは）モバイル製品のコントローラ内に内蔵するなら、極めて複雑なソフトウェアプロトコルとハードウエアソースの問題に関わることになる。このため、ＵＳＢインターフェースモバイルディスクはＰＣ領域において高い評価を受けていながら、デジタル情報家電市場に参入することができないのである。
しかも、現在の市場では、小型メモリカードインターフェースに対するＵＳＢ転接コントローラチップを開発しているメーカーはないため、公知の入力／出力拡充インターフェースを通してシステムエンドが転接するコントローラチップだけが存在する。その機能は入力／出力インターフェースシステムの拡充に限られる。汎用性のあるＵＳＢインターフェースを拡充すれば、マンマシーンインターフェースデバイス、ストレージデバイス、通信デバイスなどの各種ＵＳＢインターフェースのデバイスをサポート可能である。
【０００４】
しかし、この種の転接コントローラチップは、そのものが各種ＵＳＢインターフェースデバイスが必要とするソフトウエアコントローラ機能を具えないため、それ自身のコントロールも含めてシステムエンドを必要とする。
この転接コントローラチップに対しては、ドライバプログラムを増設し、ＵＳＢインターフェースの各種ＵＳＢデバイスに設置し、それぞれシステムエンドにおいて各自のドライバプログラムを増設しなければ、その機能を発揮することはできない。即ち、コンピュータシステム中の高機能プロセッサに頼り上記ドライバプログラムを執行し、しかも伝送を行うデータパケットの保存のために、相当な容量のメモリを必要とする。
上記のような情報家電製品の開発と設計に対する様々な必要は、製品設計、開発の複雑さを増す結果となっており、製品のハード部分のコストを増加させている。
【０００５】
しかも、各種ＵＳＢインターフェースデバイス転接をサポートするドライバプログラムの開発は非常に複雑で、時間を要する。そのため、情報家電を設計するメーカーはしばしば比較的サポートが容易なものを選んで開発を行いがちで、現在見られるものはマンマシーンインターフェースデバイスとストレージデバイスの二種に限られる。その中でも、ＵＳＢインターフェースストレージデバイスの応用は比較的普及している（図４参照）。
【０００６】
もし、転接コントローラチップを発展させ、デジタル情報家電領域に普遍的に用いられる小型メモリカードにより、ＵＳＢモバイルディスクが必要とするＵＳＢシステムエンドインターフェースに転接、サポートし、かつ該コントローラチップを通して、ＵＳＢシステムエンドインターフェースをサポートするストレージデバイスが必要とする複雑なソフトウエア通信プロトコルを負担することができるなら、直ちにＵＳＢモバイルディスク製品は、ＰＣへの応用に限られていた曲面を打開することができる。
また、上記各種モバイルデジタルデバイス、及び情報家電製品などに広く応用が可能となる。このほか、ＵＳＢモバイルディスク製品はメーカーが多いため、その価格はしばしば容量が同等である小型メモリカードに比べ安い。しかも、簡単に各ＰＣ上でデータの交換、伝送が可能で、小型メモリカードがカードリーダ或いは転接カードが必要な状況に比べ、応用上も利便性が高い。
【特許文献１】特開２００２−１２５０６４号公報
【考案の開示】
【考案が解決しようとする課題】
【０００７】
上記公知構造の欠点を解決するため、本考案は小型メモリカードインターフェース転接ＵＳＢインターフェースを具えたコントローラの提供を課題とする。
本考案は小型メモリカードによりＵＳＢシステムエンドインターフェースのコントローラチップに転接し、これにより、デジタル情報家電製品はＣＦカード、ＳＤカード(Secure Digital Card)、ＭＭカード、ＭＳカード及びコントローラを具える小型メモリカードなどの小型メモリカードを通して、伝送されたデータ読み出し書込みの指令は、適当な転換メカニズムを通して、転換され、該ＵＳＢインターフェースに接続するＵＳＢモバイルディスク及び（或いは）それに関連するＵＳＢストレージデバイスにおいて読み出し書込みが行われ、さらにそれにより得られた結果を読み出し書込みし、さらに、適当な転換過程を経て、小型メモリカードインターフェースのデジタル情報家電製品に戻し、読み出し書込みを行うことを課題とする。
【０００８】
本考案は上記転接コントローラに配置する転接デバイスを提供する。該転接デバイスはデバイス本体と転接コントローラにより構成する。該本体の内部には回路板を配置し、該転接コントローラと電気的接続を行う。該回路板の適当な位置はそれぞれ小型メモリカード及びＵＳＢインターフェースに電気的に接続する。これにより、小型メモリカードインターフェースを具えたＵＳＢインターフェース転接の転接デバイスとなり、該転接デバイスは、情報家電に応用される小型メモリカード電気インターフェースは転換され、ＵＳＢモバイルディスク及び（或いは）それに関連するＵＳＢストレージデバイス３からのデータの読み出し書込みを行うことを課題とする。
【課題を解決するための手段】
【０００９】
上記課題を解決するため、本考案は下記の小型メモリカードインターフェース転接ＵＳＢインターフェースを具えたコントローラを提供する。
それは主に、少なくとも一個の情報家電内部の小型メモリカード電気インターフェースと接続する小型メモリカードインターフェースを具える。これを用い標準的な小型メモリカードの電気インターフェース、指令ファイル、通信プロトコルをコピーし、これにより情報家電は小型メモリカードの指令を読み出し書込みし、標準的ＵＳＢインターフェースストレージデバイスが受信可能な指令ファイルと通信プロトコルのマイクロプロセッサに転換し、及びＵＳＢストレージデバイスと接続を行うＵＳＢインターフェースを用いる。これにより、情報家電は小型メモリカードインターフェースが下す読み出し書込み指令を経由し、マイクロプロセッサの適当な転換メカニズムを通して、転換し、ＵＳＢインターフェースを応用するＵＳＢモバイルディスク及び（或いは）  それに関連するＵＳＢストレージデバイスのデータを読み出し書込み、接続する。
【００１０】
すなわち、請求項１の考案は、主に少なくとも一個の情報家電内部の小型メモリカード電気インターフェースと接続する小型メモリカードインターフェースを具え、これを用い標準的な小型メモリカードの電気インターフェース、指令ファイル（指令集）、通信プロトコルをコピー（模倣）し、これにより情報家電は小型メモリカードの指令を読み出し書込みし、標準的ＵＳＢインターフェースストレージデバイスが受信可能な指令ファイルと通信プロトコルのマイクロプロセッサに転換し、及びＵＳＢストレージデバイスと接続を行うＵＳＢインターフェースを用い、これにより、情報家電は小型メモリカードインターフェースが下し読み出し書込み指令を経由し、マイクロプロセッサの適当な転換メカニズムを通して、転換し、ＵＳＢインターフェースを応用するＵＳＢモバイルディスク及び（或いは）それに関連するＵＳＢストレージデバイスのデータを読み出し書込み、接続することを特徴とする小型メモリカードインターフェース転接ＵＳＢインターフェースを具えたコントローラである。
【００１１】
請求項２の考案は、前記小型メモリカードインターフェースとＵＳＢインターフェース間にはデータ伝送バッファを配置し、それぞれ小型メモリカードインターフェースとＵＳＢインターフェースは前記データ伝送バッファをデータ伝送に用いる特徴とする請求項１記載の小型メモリカードインターフェース転接ＵＳＢインターフェースを具えたコントローラである。
請求項３の考案は、前記転接コントローラは内部にプログラムコードメモリを配置し、これを用いマイクロプロセッサの保存制御を行い、小型メモリカードをコピーし、データ伝送を行い、ＵＳＢインターフェースストレージデバイスのコントロールプログラムを保存することを特徴とする請求項１、或いは、２記載の小型メモリカードインターフェース転接ＵＳＢインターフェースを具えたコントローラである。
請求項４の考案は、前記電転接コントローラは内部に電源管理回路及び（或いは）  ＰＬＬオスシレーション回路を設置し、前記転接コントローラの正常な作動を維持することを特徴とする請求項１、或いは２記載の小型メモリカードインターフェース転接ＵＳＢインターフェースを具えたコントローラである。
請求項５の考案は、前記転接コントローラ内に設置する外部メモリインターフェースは外部メモリを拡充することができ、バッハの容量を拡充し、データ伝送バッファとすることを特徴とする請求項１記載の小型メモリカードインターフェース転接ＵＳＢインターフェースを具えたコントローラである。
【００１２】
請求項６の考案は、前記ＵＳＢストレージデバイスはＵＳＢインターフェースを具えたフラッシュメモリカードドライブ、ハードディスク、光ディスクドライブ、フレキシブルディスクドライブであることを特徴とする請求項１記載の小型メモリカードインターフェース転接ＵＳＢインターフェースを具えたコントローラである。
請求項７の考案は、前記転接コントローラは内部に小型メモリカードに内蔵することもでき、該小型メモリカードの一端には小型メモリカードインターフェースを設置し、情報家電の小型メモリカード電気インターフェースと電気的接続を行い、該カードの内部には回路板を配置し、該転接コントローラ及び上記の小型メモリカードインターフェースと電気的接続を行い、該カードの適当な位置には該回路板と電気的接続を行うＵＳＢインターフェースを設置し、該ＵＳＢインターフェースはＵＳＢインターフェースのモバイルディスク及び（或いは）それに関連するＵＳＢストレージデバイスのストレージデバイスと接続し、これに基づき、該転接デバイスにより、情報家電に応用される小型メモリカード電気インターフェースは転換され、ＵＳＢモバイルディスク及び（或いは）それに関連するＵＳＢストレージデバイス３からのデータの読み出し書込みを行うことを特徴とする請求項１記載の小型メモリカードインターフェース転接ＵＳＢインターフェースを具えたコントローラである。
【００１３】
請求項８の考案は、前記小型メモリカードはＣＦカード、ＳＤカード(Secure Digital Card)、ＭＭカード、ＭＳカード及びコントローラを具える小型メモリカードなどの小型メモリカード形態を呈することを特徴とする請求項７記載の小型メモリカードインターフェース転接ＵＳＢインターフェースを具えたコントローラである。
請求項９の考案は、前記小型メモリカードのＵＳＢインターフェースの設置は内蔵式及びケーブルを具えたＵＳＢ形式とすることができることを特徴とする請求項７記載の小型メモリカードインターフェース転接ＵＳＢインターフェースを具えたコントローラである。
【考案の効果】
【００１４】
上記のように、本考案の小型メモリカードインターフェース転接ＵＳＢインターフェースを具えたコントローラは、各種モバイルデジタルデバイス、及び情報家電製品などに広く応用が可能となり、価格は安価であり、しかも、簡単に各ＰＣ上でデータの交換、伝送が可能で、小型メモリカードがカードリーダ或いは転接カードが必要な状況に比べ、応用上も利便性が高いという効果が得られる。
【考案を実施するための最良の形態】
【００１５】
本考案の好適な実施例を図に沿って説明する。
図１、２に示すように、本考案の実施例は、各種モバイルデジタル製品及び情報家電に現在広く応用されており、転接コントローラ１を具える。
該転接コントローラ１は少なくとも一個の小型メモリカードインターフェース１１、ＵＳＢインターフェース１２、該小型メモリカードインターフェース１１及び該ＵＳＢインターフェース１２間に接続するマイクロプロセッサ１３により構成する。
該小型メモリカードインターフェース１１は情報家電内部の小型メモリカード電気インターフェース２との接続に用いられ、該ＵＳＢインターフェース１２は外部のＵＳＢモバイルディスク及び（或いは）それに関連するＵＳＢストレージデバイス３との接続に用いられる。該マイクロプロセッサ１３は標準小型メモリカードをコピー（模倣）する電気インターフェース、指令ファイル、通信プロトコルで、情報家電が小型メモリカードの指令を受取り、標準的なＵＳＢインターフェースストレージデバイスが受信可能な指令ファイルと通信プロトコルに転接する。
こうして、情報家電は保存指令を発する時、該小型メモリカード電気インターフェース２と該小型メモリカードインターフェース１１は接続し、該マイクロプロセッサ１３を通して適当な転接メカニズムを施すように動作する。
また、該ＵＳＢストレージデバイス３の保存空間を利用し、情報家電が保存しようとするデータを標準的なＵＳＢインターフェースストレージデバイスが受信可能な指令ファイルと通信プロトコルに転換する。さらに、ＵＳＢインターフェース１２に外付けするＵＳＢインターフェースストレージデバイスに対して保存動作を行う。
【００１６】
本考案が採用する実施例において、前記転接コントローラ１内の該小型メモリカードインターフェース１１と該ＵＳＢインターフェース１２間にはデータバッファ１４を配置し、それぞれ該小型メモリカードインターフェース１１と該ＵＳＢインターフェース１２に対してデータ伝送を提供する。
また、前記転接コントローラ１内に設置するプログラムコードメモリ１５は該マイクロプロセッサ１３が小型メモリカードの内容をコピーし、データ伝送を行い、ＵＳＢインターフェースストレージデバイスのコントローラプログラムの保存制御に用いる。このほか、転接コントローラ１内には別に、電源管理回路１６とＰＬＬオスシレーション回路１７を設置し、前記転接コントローラ１の正常な作動を維持することもできる。
外部データ伝送バッファメモリの空間を拡充し、データ伝送のレートを向上させるために、本考案の実施例の転接コントローラ１内には別に外部メモリインターフェース１８を設置する。これにより外部メモリを拡充し、バッファの容量を拡充し、データ伝送バッファとして用いる。
【００１７】
図３のフローチャートに示すように、本考案を情報家電に応用し、データの読み出し書込みを行う時には、先ず、Ｓ１で電源を起動しスタンバイモードに入る。
使用者はＳ２で外部のＵＳＢストレージデバイスを挿入する。この時、情報家電は外付けＵＳＢストレージデバイスが挿入されたことを探知する。続いて、Ｓ３で転接コントローラ１は小型メモリカードが標準的に発生する挿入探知信号を情報家電に送り、Ｓ４で情報家電は小型メモリカードの挿入信号を探知し、読み出し書込み作業を開始する。
Ｓ５で情報家電が読み出し書込み指令を出す時、転接コントローラ１のマイクロプロセッサは小型メモリカードをコピー（模倣）し情報家電の読み出し書込み指令を受信し、Ｓ６で該受信した読み出し書込み指令に対して転換を行い、ＵＳＢインターフェースを通して外部のＵＳＢストレージデバイスからのデータを保存する。Ｓ７で該外部のＵＳＢ外付けストレージデバイスは転接コントローラ１の制御指令に反応し、データ伝送バッファを通してデータの伝送を始める。
Ｓ８でデータ伝送完了後のコントローラチップはスタンバイモードに戻る。Ｓ９で同時に情報家電の指令もまた執行を完了し、スタンバイモードに入り、Ｓ１０で次の読み出し書込み指令に備える。
上記のＵＳＢストレージデバイスはＵＳＢインターフェースのフラッシュメモリカードドライブ、ハードディスク、ＺＩＰ、ＭＯ、光ディスクドライブ、フレキシブルディスクドライブなどの関連するストレージデバイスである。
【００１８】
本考案が採用する別種の実施例では、上記の転接コントローラ１を配置するの転接デバイス（図示なし）を提供する。該デバイスはデバイス本体及び転接コントローラにより構成する。該本体はＣＦカード、ＳＤカード(Secure Digital Card)、ＭＭカード、ＭＳカード及びコントローラを具える小型メモリカードなどの小型メモリカード形態を呈する。
本考案の実施例ではＣＦカードについて説明を加える。
このＣＦカードの一端には小型メモリカードインターフェースを設置し、情報家電の小型メモリカード電気インターフェース２と電気的接続を行う。該ＣＦカードの内部には回路板を配置し、該転接コントローラ及び上記の小型メモリカードインターフェースと電気的接続を行う。該ＣＦカードの適当な位置には該回路板と電気的接続を行うＵＳＢインターフェースを設置し、該ＵＳＢインターフェースはＵＳＢインターフェースのモバイルディスク及び（或いは）それに関連するＵＳＢストレージデバイス３のストレージデバイスと接続する。これに基づき、該転接デバイスにより、情報家電に応用される小型メモリカード電気インターフェースは転換され、ＵＳＢモバイルディスク及び（或いは）それに関連するＵＳＢストレージデバイス３からのデータの読み出し書込みを行う。
上記ＣＦカードのＵＳＢインターフェースの設置は内蔵式及びケーブルを具えたＵＳＢ形式とすることができる。    
【図面の簡単な説明】
【００１９】
【図１】本考案転接コントローラを応用する情報家電の機能ブロックチャートである。
【図２】本考案転接コントローラの機能ブロックチャートである。
【図３】本考案の機能制御のフローチャートである。
【図４】従来公知の情報家電の機能ブロックチャートである。
【符号の説明】
【００２０】
１  転接コントローラ
１１  小型メモリカードインターフェース
１２  ＵＳＢインターフェース
１３  マイクロプロセッサ
１４  データバッファ
１５  プログラムコードメモリ
１６  電源管理回路
１７  ＰＬＬオスシレーション回路
１８  外部メモリインターフェース
２  小型メモリカード電気インターフェース
３  USBモバイルディスク及び(或いは)それに関連するUSBストレージデバイス
【図１】
0003101254.tif 000003
【図２】
0003101254.tif 000004
【図３】
0003101254.tif 000005
【図４】
0003101254.tif 000006